(57)【要約】【課題】超音波ケーブルとスコープコネクタとをカムシャフト及びカムによるカム係合を利用して接続するのに際し耐摩耗性に優れた接続部材を提供し修理性を向上させかつ修理コストの低減化に寄与し得る超音波内視鏡を提供する。【解決手段】超音波を送受信する超音波振動子１９を先端部に内在する挿入部２と挿入部の一端部に連設される操作部３と操作部から延出するユニバーサルケーブル４とユニバーサルケーブルの一端部に連設されるスコープコネクタ５とスコープコネクタに接続される超音波ケーブル１２とを少なくとも具備し、スコープコネクタ及び超音波ケーブルの一方にカム３３を他方にカムシャフト４５をそれぞれ設け、カム及びカムシャフトをカム係合させることによってスコープコネクタと超音波ケーブルとの接続を確保し得るように構成される超音波内視鏡１において、カム及びカムシャフトは、ＳＵＳ４２０Ｊ２に焼き入れした部材を用いて形成する。【選択図】図１
2006042901.tif 000002
【特許請求の範囲】
【請求項１】
超音波を送受信する超音波振動子を先端部に内在する挿入部と、前記挿入部の一端部に連設される操作部と、前記操作部から延出するユニバーサルケーブルと、前記ユニバーサルケーブルの一端部に連設されるスコープコネクタと、前記スコープコネクタに接続される超音波ケーブルとを少なくとも具備し、
前記スコープコネクタ及び前記超音波ケーブルの一方にカムを他方にカムシャフトをそれぞれ設け、前記カム及び前記カムシャフトをカム係合させることによって前記スコープコネクタと前記超音波ケーブルとの接続を確保し得るように構成される超音波内視鏡において、
前記カム及び前記カムシャフトは、ＳＵＳ４２０Ｊ２に焼き入れした部材を用いて形成したことを特徴とする超音波内視鏡。
【請求項２】
前記カムシャフトは、さらにその表面にメッキ処理が施されていることを特徴とする請求項１に記載の超音波内視鏡。
【発明の詳細な説明】
【技術分野】
【０００１】
この発明は、超音波内視鏡、詳しくは超音波内視鏡と超音波観測装置との間に介在し両者を接続する超音波ケーブルの接続部の構造に関するものである。
【背景技術】
【０００２】
従来より、超音波振動子から生体組織内に超音波パルスを繰り返し送信し、生体組織から反射される超音波パルスのエコー信号を同一あるいは別体に設けた超音波振動子で受信して、二次元的な可視像である超音波断層画像を表示装置の画面上に表示させ、これを観察することにより、病変部の診断等をおこなう超音波診断装置が種々提案されている。
【０００３】
このような従来の超音波診断装置においては、超音波振動子等を先端部に具備し体腔内に挿入される挿入部等を備えた超音波内視鏡と、この超音波内視鏡の超音波振動子等の駆動制御をおこなったり前記超音波内視鏡によって得られる超音波信号等を受けて超音波断層画像を表示するための超音波断層画像データを生成する超音波観測装置との間に、超音波ケーブルを介在させ、これによって両者間の接続を確保するようになっている。
【０００４】
この場合において、前記超音波内視鏡は、前記挿入部と、この挿入部の湾曲操作等をおこなう操作部と、この操作部の一部から延出しその一端部にスコープコネクタを配設したユニバーサルケーブル等によって主に構成されているのが普通である。
【０００５】
前記スコープコネクタには、各種の機器等との間で接続を確保するための種々のコネクタ部が各所定の部位にそれぞれ配設されている。そして、前記スコープコネクタに設けられる複数のコネクタ部のうち前記超音波ケーブルのスコープ側コネクタ部に対応するコネクタ部である超音波コネクタとの接続を確保する構造についても、従来より種々の提案がなされ、また実用化されている。
【０００６】
例えば特開２００２−２０００８２号公報によって開示されている超音波内視鏡において、前記超音波ケーブルのスコープ側コネクタ部にカムシャフトを設ける一方、スコープコネクタの超音波コネクタのがわには、前記カムシャフトに対応するカムを設け、両者がカム係合する構造としている。この場合において、カムシャフトとカムとは互いに摺動しつつ締結されるようになっている。
【特許文献１】特開２００２−２０００８２号公報
【発明の開示】
【発明が解決しようとする課題】
【０００７】
ところが、上記特開２００２−２０００８２号公報等によって開示されている手段、すなわちカム係合させることによって超音波ケーブルとスコープコネクタとを締結するようにしたものでは、カムシャフトとカムとが互いに所定の力量下において摺動することになるので、両部材の摩耗を避けることはできないという問題点がある。なお、前記公報においては、カムシャフト及びカムの材質については特に言及されていない。
【０００８】
本発明は、上述した点に鑑みてなされたものであって、その目的とするところは、超音波内視鏡において、超音波ケーブルとスコープコネクタとをカムシャフト及びカムによるカム係合を利用して接続するのに際して、耐摩耗性に優れた接続部材を提供すると共に、修理性を向上させかつ修理コストの低減化に寄与することのできる超音波内視鏡を提供することである。
【課題を解決するための手段】
【０００９】
上記目的を達成するために、本発明による超音波内視鏡は、超音波を送受信する超音波振動子を先端部に内在する挿入部と、前記挿入部の一端部に連設される操作部と、前記操作部から延出するユニバーサルケーブルと、前記ユニバーサルケーブルの一端部に連設されるスコープコネクタと、前記スコープコネクタに接続される超音波ケーブルとを少なくとも具備し、前記スコープコネクタ及び前記超音波ケーブルの一方にカムを他方にカムシャフトをそれぞれ設け、前記カム及び前記カムシャフトをカム係合させることによって前記スコープコネクタと前記超音波ケーブルとの接続を確保し得るように構成される超音波内視鏡において、前記カム及び前記カムシャフトは、ＳＵＳ４２０Ｊ２に焼き入れした部材を用いて形成したことを特徴とする。
【発明の効果】
【００１０】
本発明によれば、超音波ケーブルとスコープコネクタとをカムシャフト及びカムによるカム係合を利用して接続するのに際して、耐摩耗性に優れた接続部材を提供すると共に、修理性を向上させかつ修理コストの低減化に寄与し得る超音波内視鏡を提供することができる。
【発明を実施するための最良の形態】
【００１１】
以下、図示の実施の形態によって本発明を説明する。  
図１は、本発明の一実施形態の超音波内視鏡の全体構成及びこの超音波内視鏡が適用される超音波内視鏡装置の構成を示す概略構成図である。図２及び図３は、図１の超音波内視鏡装置において超音波内視鏡のスコープコネクタと超音波ケーブルとの接続部位の構造を拡大して示す図である。このうち、図２は要部拡大斜視図であり、図３は要部拡大縦断面図である。図４は、図１に示す超音波内視鏡装置における超音波ケーブルのスコープ側コネクタ部の内部構造の一部を示す要部拡大上面図である。この図４では、スコープ側コネクタ部のケースを切断した状態で、その上面から見た内部構成を示している。図５及び図６は、図４に示す超音波ケーブルのスコープ側コネクタ部のカバー部材の内表面の金属被膜とフィンガーとの接触部位の構成を示す図であって、図５は図４のＶ−Ｖ線に沿う要部縦断面図である。図６は、フィンガーの取付構造を拡大して示す要部分解斜視図である。図７は、図１に示す超音波内視鏡装置における超音波ケーブルのスコープ側コネクタ部をスコープコネクタに接続したときの内部構造の一部を示す要部縦断面図である。図８は、図７に示す状態における要部拡大上面図である。
【００１２】
図１に示すように、本実施形態の超音波内視鏡１は、体腔内に挿入可能な細長形状からなり超音波を送受信する超音波振動子２０を先端部２１に内在する挿入部２と、この挿入部２の基端部に連設される操作部３と、可撓性を有し前記操作部３の一部より延出されるユニバーサルケーブル４と、このユニバーサルケーブル４の一端部に連設されるスコープコネクタ５とによって主に構成されている。
【００１３】
本実施形態の超音波内視鏡１が適用される超音波内視鏡装置１０は、前記超音波内視鏡１と、超音波内視鏡１の超音波振動子２０等の駆動制御をおこなったり前記超音波内視鏡１によって得られる超音波信号等を受けて超音波断層画像を表示するための超音波断層画像データを生成する超音波観測装置１３と、前記超音波内視鏡１と前記超音波観測装置１３との間に介在し両者を接続する超音波ケーブル１２と、照明光を供給する光源装置７と、画像信号等の信号処理をおこなうビデオプロセッサ９と、吸引ポンプ１５と、送水タンク１７等によって主に構成されており、これらの機器はスコープコネクタ５に設けられる各所定の接続部位に対してそれぞれ着脱自在に接続されている。
【００１４】
すなわち、スコープコネクタ５の光源コネクタ６には光源装置７が接続されている。スコープコネクタ５の電気コネクタ８にはビデオプロセッサ９が接続されている。スコープコネクタ５の超音波コネクタ１１には超音波ケーブル１２の一端部に設けられるスコープ側コネクタ部１２ａが接続されている。この超音波ケーブル１２の他端部は超音波観測装置１３に着脱自在に接続されている。これにより、スコープコネクタ５と超音波観測装置１３とは超音波ケーブル１２を介して接続されている。吸引口金１４には吸引ポンプ１５が接続されている。送気送水口金１６には送水タンク１７が接続されている。
【００１５】
挿入部２は、最先端部に配設され内部に超音波を送受信する超音波振動子２０が収納される超音波収納部１９と、この超音波収納部１９を先端面に配設する先端部２１と、この先端部２１の基端側に湾曲自在に形成される湾曲部２２と、この湾曲部２２の基端側に形成され長尺で可撓性を有する可撓部２３とによって主に構成されている。
【００１６】
なお、先端部２１の斜面部２１ａには、照明窓と観察窓（いずれも図示せず）が配設されている。このとき光源装置７に光源コネクタ６が接続されている状態であれば、光源装置７から供給される照明光は、ユニバーサルケーブル４と操作部３と挿入部２の内部を挿通するライトガイド（図示せず）により伝送されて、前記斜面部２１ａの照明窓から出射するようになっている。これにより、体腔内の患部等の被検体が照明されるようになっている。
【００１７】
このようにして照明窓から出射された照明光により照明された被検体からの反射光は、前記観察窓に取り付けられる対物レンズによって集光され、この対物レンズの結像位置に被検体像を結像することになる。対物レンズの結像位置には、電荷結合素子（ＣＣＤ）等の撮像素子（図示せず）が配設されている。したがって、被検体像はこの撮像素子の受光面に結像する。これを受けて撮像素子の撮像部は、光電変換処理をおこなって被検体像に基づく所定の画像信号を生成する。撮像素子による光電変換処理で生成された画像信号は、撮像素子に接続される信号線を介してビデオプロセッサ９へと入力される。このビデオプロセッサ９は、これを受けて標準的な映像信号に変換する。その後、ビデオプロセッサ９は、当該映像信号を表示装置（図示せず）へと伝送する。これを受けて表示装置の表示部には、被検体像が表示されるようになっている。
【００１８】
操作部３は、術者が把持する把持部２４と、この把持部２４と一体に形成される主操作部２５とによって主に構成されている。主操作部２５には、湾曲部２２の湾曲操作をおこなう湾曲操作ノブ２５と、送気送水及び吸引操作をそれぞれおこなう送気送水吸引ボタン２６とが配設されている。また、把持部２４には、処置具（特に図示せず）を挿入する処置具挿入口２７が形成されている。
【００１９】
超音波振動子２０は、挿入部２内を挿通する動力伝達用のフレキシブルシャフト２８を介して把持部２４内に設けられる回転型信号伝達手段であるスリップリング２９に接続されている。このスリップリング２９の回転軸には、回転角検出手段であるエンコーダ３０が接続されている。このエンコーダ３０の回転軸には、ユニバーサルケーブル４の内部を挿通する動力伝達用のフレキシブルシャフト３１の一端が接続されている。このフレキシブルシャフト３１の他端は、スコープコネクタ５内に設けられ、メカニカル走査をおこなうための回転駆動手段であるモータ３２に接続されている。
【００２０】
また、フレキシブルシャフト２８内には、超音波振動子２０に対して超音波送信のパルス信号を印加したり超音波振動子２０によって受信された後、電気信号に変換されたエコー信号を伝送する信号伝達用ケーブル（図示せず）が挿通している。この信号伝達用ケーブルは、一端が超音波振動子２０に接続され、他端がスリップリング２９を介してフレキシブルシャフト２８の外部ケーブル（図示せず）に電気的に接続されている。そして、この外部のケーブルは、エンコーダ３０に接続されるフレキシブルシャフト２８の回転角から超音波振動子２０の回転角を検出するための電気ケーブル（図示せず）と共に、操作部３内の基板を介してユニバーサルケーブル４の内部を挿通した後、スコープコネクタ５にまで導出されている。
【００２１】
スコープコネクタ５には、上述したように超音波ケーブル１２の一端部に設けられるスコープ側コネクタ部１２ａが着脱自在に接続されるようになっている。これにより、超音波ケーブル１２を介して超音波観測装置１３と本実施形態の超音波内視鏡１とが電気的に接続されるようになっている。
【００２２】
スコープ側コネクタ部１２ａの内部の基板４０には、当該スコープ側コネクタ部１２ａをスコープコネクタ５に接続し得る状態で、当該スコープコネクタ５の超音波コネクタ１１に対向する部位にコネクタ４１が実装されている。このコネクタ４１の対向する部位に配置される超音波コネクタ基板５ａの実装面上には接点５ｂが形成されている。この接点５ｂは、同超音波コネクタ基板５ａの裏面側に実装される超音波コネクタ１１に電気的に接続されている。
【００２３】
また、先端にカムシャフト４５ａが固設されるシャフト４５は、ガイド部材４３と基板４０とコイル状のバネ４６ａとスライダプレート４７と止め輪４８とレバー４９とを挿通している。バネ４６ａは、ガイド部材４３とスライダプレート４７との間に挟持され、その両端が両部材にそれぞれ当接している。
【００２４】
シャフト４５の中程の部位の外周面上にはストッパ部４５ｂが突設されている。このストッパ部４５ｂはガイド部材４３に当接している。そして、シャフト４５の上端部のネジ穴にはビス５０が締結されている。したがって、これによりシャフト４５は、ガイド部材４３とレバー４９との間に基板４０，スライダプレート４７，止め輪４８を挟み込むように配置した状態でレバー４９に取り付けられている。
【００２５】
このシャフト４５は、ガイド部材４３，基板４０，バネ４６ａ，スライダプレート４７に対して回動自在の状態に配設されている。シャフト４５と止め輪４８及びレバー４９とは、例えば両者が嵌合する部分の断面形状を非円形とすることにより、周方向における位置決め、すなわち回転規制がなされている。これにより、シャフト４５は、単独で回転することなく、レバー４９の回動に連動して同方向に回動するようになっている。
【００２６】
上記シャフト４５と平行に突設される位置決めピン５１は、ガイド部材４３に固定されていると共に、バネ４６ｂとスライダプレート４７を挿通し、上端部がビス５２によってスライダプレート４７に対して固設されている。
【００２７】
なお、スライダプレート４７は、バネ４６ｂの付勢力に抗して図３の符号Ｓで示す距離分だけ位置決めピン５１の軸方向に沿う方向に移動自在となっている。そして、このように構成される構造体は、カバー部材５３によって外面が覆われている。
【００２８】
このカバー部材５３の所定の部位からは、図２及び図３に示すように超音波ケーブル１２が延出している。
【００２９】
また、シャフト４５と位置決めピン５１とコネクタ４１の端子との位置関係は、スコープコネクタ５のがわのプレート５４と超音波コネクタ基板５ａと取付板５７とカム３３等に設けた穴部及び接点５ｂの位置関係と同一となっている。
【００３０】
シャフト４５の外径ｄは、取付板５７の穴部５４ａの径より若干小さく設定されている。なお、このことは例えば両者の寸法を同一にし、公差によって逃がすような設計としても良い。これと同様に、位置決めピン５１の外径ｆは、取付板５７の穴部５４ｂの径よりも若干小さくなるように設定されている。
【００３１】
また、ガイド部材４３の内径ｂはプレート５４の外径ａより若干大きく設定されている。したがって、これによりスコープ側コネクタ部１２ａをスコープコネクタ５に接続したときには、両者間にほとんどガタが生じないような寸法設定となっている。
【００３２】
なお、シャフト４５及びカムシャフト４５ａと、これにカム係合するカム３３とをそれぞれ形成する部材の材質としては、例えばＳＵＳ４２０Ｊ２等の硬質部材が用いられている。
【００３３】
このＳＵＳ４２０Ｊ２は、マルテンサイト（martensite）系の磁性を有するステンレス鋼（マルテンサイト組織を持った高Ｃｒ鋼）であって焼入れ硬化性に優れた部材である。このＳＵＳ４２０Ｊ２は、通常構造体として使用されるＳＵＳ３０３よりも高硬度部材である。
【００３４】
一方、超音波ケーブル１２のスコープ側コネクタ部１２ａのカバー部材５３は、例えば樹脂部材等によって成形されている。このカバー部材５３の内表面には、例えばアルミ蒸着等の手段によって金属被膜５３ａを形成されている。これによって、カバー部材５３の内表面のみに導電性をもたせている。この金属被膜５３ａには、基板４０のグランド（ＧＮＤ）を同電位に落とすためのフィンガー６０が、図４の符号Ｚで示す所定の位置にて接触している。
【００３５】
ここで、カバー部材５３の内表面の金属被膜５３ａとフィンガー６０との接触部位の構成は、次の通りである。
【００３６】
フィンガー６０は、絶縁体であるスペーサ６１を金属からなるワッシャ６２及び基板４０を挟んでガイド部材４３に対してねじ６３によって固設されている。
【００３７】
スペーサ６１は、基板４０のパターンを保護するために設けられるものであって、上述したように絶縁部材によって形成されている。このスペーサ６１には孔６１ａが穿設されている。この孔６１ａにワッシャ６２が配置されている。このワッシャ６２の一方の面は、基板４０の形成されるランド４０ａに接触するように配置されている。また、同ワッシャ６２の他方の面は、フィンガー６０に接触するようになっている。これにより、基板４０とフィンガー６０との間の電気的な導通が確保されている。そして、フィンガー６０の一端に形成される曲面部６０ａがカバー部材５３の内表面の金属被膜５３ａに接触するように配置されている。
【００３８】
このように構成された上記一実施形態の超音波内視鏡１を適用する超音波内視鏡装置１０において、超音波ケーブル１２のスコープ側コネクタ部１２ａをスコープコネクタ５に接続する際の作用を以下に説明する。
【００３９】
図３に示す状態において、超音波ケーブル１２のスコープ側コネクタ部１２ａをスコープコネクタ５に接続すると、図７に示す状態となる。
【００４０】
この図７の状態とするためには図３の状態から、まず超音波ケーブル１２のスコープ側コネクタ部１２ａのがわのシャフト４５及び位置決めピン５１を、スコープコネクタ５のがわのプレート５４に設けられる二つの穴部５４ａ，５４ｂのそれぞれに差し込む。すると、このプレート５４の外周面とガイド部材４３の内周面とが嵌合する。これにより、スコープ側コネクタ部１２ａは、超音波コネクタ１１に対してシャフト４５及び位置決めピン５１の作用によって回転方向の位置が規制される。また同時にガイド部材４３の作用によって、図３に示すＸ軸方向の位置が規制される。
【００４１】
なお、図３に示すＸ軸は、シャフト４５の軸に沿う方向をＹ軸とすると、これに垂直な方向を示すものである。図３においては、例えばシャフト４５と位置決めピン５１とを含む平面内において、シャフト４５の軸に沿う方向に垂直となる方向をＸ軸としている。
【００４２】
次に、レバー４９を所定の方向、例えば図４に示す矢印Ｒ方向へと回転させる。シャフト４５は、レバー４９によって周方向の位置決めがなされて同レバー４９に取り付けられていることから、シャフト４５もレバー４９と同方向へと同時に回転する。これにより、カムシャフト４５ａは、カム３３のカム部の形状に沿って移動することになる。したがって、カムシャフト４５ａはレバー４９の回転と共に図３のＹ軸方向に移動する。
【００４３】
こうして、シャフト４５がＹ軸方向に移動するのと同時に、スライダプレート４７，止め輪４８，レバー４９がバネ４６ａの弾性力に抗して同方向に移動する。さらに、スライダプレート４７の移動に伴って、伸長性のバネ４６ａが緊縮されることになるので、同バネ４６ａによるＹ軸方向の押圧力がガイド部材４３に加圧されることになる。これにより、コネクタ４１が超音波コネクタ基板５ａに押しつけられる。その結果、コネクタ４１の端子（図示せず）が超音波コネクタ基板５ａの接点５ｂに接触し所定の力量で押圧されることになる。これにより、両コネクタ４１，１１が導通状態となる。
【００４４】
このとき、ガイド部材４３の端面とプレート５４の端面との間（図７の符号αで示す部位参照）は、当接した状態になるか、もしくは僅かな隙間のみが形成されるようになっている。
【００４５】
なお、ガイド部材４３の外周面側には、一端が外部に向けて広がる形状に形成されるスカート部材４３ａが一体に配設されている。このスカート部材４３ａの一端は、ガイド部材４３の外周面とスコープ側コネクタ部１２ａのカバー部材５３の端面５３ｂ及び固定部ｃとの間を連設している。そして、図７に示す状態（スコープ側コネクタ部１２ａとスコープコネクタ５とが接続された状態）となったときには、このスカート部材４３ａは、図７の符号αで示す部位において、スコープコネクタ５の外側面の全体を覆うように配置されることになる。
【００４６】
このようにして、超音波ケーブル１２のスコープ側コネクタ部１２ａをスコープコネクタ５の超音波コネクタ１１に接続した後、超音波ケーブル１２の他端に設けられるコネクタ（図１参照）を超音波観測装置１３の所定の部位に接続することにより、超音波観測をおこなうことができる状態が設定される。
【００４７】
以上説明したように上記一実施形態によれば、互いに摺動して締結される超音波ケーブル１２のスコープ側コネクタ部１２ａに設けられるシャフト４５及びカムシャフト４５ａと、超音波内視鏡１のスコープコネクタ５に設けられるカム３３とをそれぞれ形成する部材の材質を、通常構造体として使用されるＳＵＳ３０３より耐摩耗性に優れた硬質部材、例えばＳＵＳ４２０Ｊ２に焼き入れしたものを適用したので、部品寿命を長期化することができ、修理コストの低減化に寄与することができる。
【００４８】
超音波ケーブル１２のスコープ側コネクタ部１２ａの樹脂製のカバー部材５３は、内表面にはアルミ蒸着等による金属被膜５３ａを形成することで導電性を有するように構成している。そして、このカバー部材５３の金属被膜５３ａに対して、基板４０と電気的に導通するフィンガー６０を設けたので、容易に基板４０のグランド（ＧＮＤ）を同電位に落とすことができる。したがって、簡単な構成のみで電気的な安全性を確保することができると共に、組立性や修理性を向上させることができる。これと同時に、カバー部材５３の内部を電気的に遮蔽することができるので、カバー部材５３の外部に対するノイズ耐性を向上させることができる。
【００４９】
また、超音波ケーブル１２のスコープ側コネクタ部１２ａとスコープコネクタ５とを接続した状態においては、スコープ側コネクタ部１２ａのシャフト４５と位置決めピン５１の各々の外側に設けられるバネ４６ａ，４６ｂの作用によって、スコープ側コネクタ部１２ａのがわのコネクタ４１とスコープコネクタ５のがわの超音波コネクタ基板５ａの接点５ｂとが常に所定の力量で、かつ平行に押圧される状態となる。したがって、これにより、スコープ側コネクタ部１２ａのコネクタ４１と超音波コネクタ基板５ａの超音波コネクタ１１との間の電気的接続の安定性を確保することができる。
【００５０】
そして、超音波ケーブル１２のスコープ側コネクタ部１２ａとスコープコネクタ５とを接続した状態において、スカート部材４３ａが、図７の符号αで示す部位においてスコープコネクタ５の外側面の全体を覆うように構成したので、不用意な水こぼれなどが発生したとしても、内部に配設される接点部分などに水等が入り込むことがない。したがって、これにより電気的な安全性を確保することができる。
【００５１】
上述の一実施形態においては、シャフト４５及びカムシャフト４５ａとカム３３とを形成する部材の材質をＳＵＳ４２０Ｊ２の焼き入れ部材としているが、これに加えてさらにシャフト４５及びカムシャフト４５ａの側にメッキ処理を施すようにしてもよい。これにより、カム３３に比べるとシャフト４５及びカムシャフト４５ａの方が若干硬質となるため、カム３３の方が摩耗することになる。
【００５２】
部品の構造を考慮すると、シャフト４５及びカムシャフト４５ａが配設される超音波ケーブル１２のスコープ側コネクタ部１２ａよりもカム３３が配設されるスコープコネクタ５の方が分解しやすい構造となっている。
【００５３】
したがって、この場合においては、シャフト４５及びカムシャフト４５ａにメッキ処理を施すことによって、シャフト４５及びカムシャフト４５ａの方がカム３３に比べて硬質な部材に仕上げるようにしている。これにより、カム３３の方が摩耗するように形成することで、修理交換をする際に分解がより簡単な方の部品、すなわちカム３３が配設されるがわのスコープコネクタ５を修理すればよいことになる。したがって、これにより超音波内視鏡１としての修理性の向上に寄与することができると同時に、その修理にかかる手間及び費用面での低減化に寄与することができる。
【図面の簡単な説明】
【００５４】
【図１】本発明の一実施形態の超音波内視鏡の全体構成及びこの超音波内視鏡が適用される超音波内視鏡装置の構成を示す概略構成図。
【図２】図１の超音波内視鏡装置において超音波内視鏡のスコープコネクタと超音波ケーブルとの接続部位の構造を拡大して示す要部拡大斜視図。
【図３】図１の超音波内視鏡装置において超音波内視鏡のスコープコネクタと超音波ケーブルとの接続部位の構造を拡大して示す要部拡大縦断面図。
【図４】図１の超音波内視鏡装置における超音波ケーブルのスコープ側コネクタの内部構造の一部を示す要部拡大上面図。
【図５】図４の超音波ケーブルのスコープ側コネクタのカバー部材の内表面の金属被膜とフィンガーとの接触部位の構成を示す図であって、図４のＶ−Ｖ線に沿う要部縦断面図。
【図６】図４の超音波ケーブルにおけるフィンガーの取付構造を拡大して示す要部分解斜視図。
【図７】図１の超音波内視鏡装置における超音波ケーブルのスコープ側コネクタをスコープコネクタに接続したときの内部構造の一部を示す要部縦断面図。
【図８】図７に示す状態における要部拡大上面図である。
【符号の説明】
【００５５】
１……超音波内視鏡
２……挿入部
３……操作部
４……ユニバーサルケーブル
５……スコープコネクタ
５ａ……超音波コネクタ基板
５ｂ……接点
１０……超音波内視鏡装置
１１……超音波コネクタ
１２……超音波ケーブル
１２ａ……スコープ側コネクタ部
１３……超音波観測装置
１９……超音波収納部
２０……超音波振動子
３３……カム
４０……基板
４１……コネクタ（スコープ側コネクタ部側）
４３……ガイド部材
４３ａ……スカート部材
４５……シャフト
４５ａ……カムシャフト
４６ａ，４６ｂ……バネ
４９……レバー
５３……カバー部材
５３ａ……金属被膜
６０……フィンガー
代理人弁理士伊藤進
【図１】
2006042901.tif 000003
【図２】
2006042901.tif 000004
【図３】
2006042901.tif 000005
【図４】
2006042901.tif 000006
【図５】
2006042901.tif 000007
【図６】
2006042901.tif 000008
【図７】
2006042901.tif 000009
【図８】
2006042901.tif 000010